(57)【特許請求の範囲】
【請求項１】
井戸水等の原水を送水する送水管と、前記送水管内に前記原水を送水する給水ポンプと、前記送水管に薬液を注入する注入ポンプと、前記送水管内の流量を検出する流量検出手段と、前記流量検出手段の検出結果に基づき前記注入ポンプを作動させる制御装置と、表示装置と、を備えた給水ユニットにおいて、
前記注入ポンプは、該注入ポンプに連結し、前記薬液を貯留する貯留槽を有し、前記制御装置から１の動作指令を受けるごとに１回の注入動作を行ない、
前記制御装置は、前記貯留槽の薬液貯留量を記憶する記憶部を備え、かつ該制御装置が発した前記動作指令の数を積算して総動作指令数を求め、更に、前記総動作指令数に前記注入ポンプの１回の注入動作あたりの注入量を乗算して前記薬液の総注入量を求め、該総注入量を前記表示装置に表示させ、前記記憶部に記憶されている第１薬液貯留量と前記総注入量が一致したと判断すると、前記貯留槽内の薬液の残量がゼロになったことを意味する第１表示内容を前記表示装置に表示させ、かつ前記送水管に井戸水等を送水させる給水ポンプに停止信号を送出させることを特徴とした給水ユニット。
【請求項２】
前記制御装置は、前記記憶部に記憶された、前記第１薬液貯留量より貯留量が少ない第２薬液貯留量と前記総注入量が一致したと判断すると、前記貯留槽内の薬液の残量が０に近づいたことを意味する第２表示内容を前記表示装置に表示させることを特徴とした請求項１に記載の給水ユニット。
【請求項３】
前記制御装置は、補充時設定入力部を備え、
前記制御装置は、前記補充時設定入力部に、作業者から貯留槽に薬液を補充したことが入力されたとき、前記総注入量をリセットするとともに前記記憶部に、前記入力の時点における前記総注入量を渇水時総注入量として記憶させ、
更に前記総注入量がリセットされた後前記総注入量が前記渇水時総注入量と一致すると、前記貯留槽内の薬液の残量がゼロになったことを意味する第１表示内容を前記表示装置に表示させ、かつ前記給水ポンプに停止信号を送出させることを特徴とした請求項１又は請求項２に記載の給水ユニット。
【請求項４】
前記制御装置は、前記記憶部に記憶された第３薬液貯留量を前記渇水時総注入量から減算して減水時総注入量を求め、前記総注入量が前記減水時総注入量と一致したと判断すると、前記貯留槽内の薬液の残量がゼロに近づいたことを意味する第２表示内容を前記表示装置に表示させることを特徴とした請求項３に記載の給水ユニット。
【請求項５】
前記薬液は、前記送水管内の原水を除菌、酸化する除菌剤であり、前記注入ポンプは、ソレノイド駆動式ダイヤフラムポンプであることを特徴とした請求項１乃至請求項４のいずれか１項に記載の給水ユニット。
【発明の詳細な説明】
【技術分野】
【０００１】
本発明は、飲料水等を給水する給水ユニットに関する。
【背景技術】
【０００２】
例えば井戸水を水道水として給水する給水ユニットにおいては、送水管に除菌器と濾過装置を備え、除菌器から所定量の薬液（除菌剤等）を送水管に注入して井戸水に含まれる雑菌等を処理するとともに、井戸水に含まれる不純物を濾過装置で濾過している。
【０００３】
一般に除菌器は、薬液を貯留する貯留槽と、貯留槽から薬液を井戸水中に注入させる注入ポンプなどから構成されている。注入ポンプとしては、ダイヤフラムをソレノイドで駆動させるソレノイド駆動式ダイヤフラムポンプが、小型で、除菌器などに組み込み易く、少量の液体を正確に注入させる点などから広く使用されている。
【０００４】
濾過装置は、セラミック製の濾過材と除マンガン用の濾過材などを有し、セラミック製の濾過材で井戸水中の浮遊物を濾過するとともに、鉄イオンを除菌剤である次亜塩素酸ナトリウムにより酸化させて不水溶性の水酸化第二鉄にして濾過したり、除マンガン用の濾過材に井戸水中のマンガンイオンを凝着させている。給水ユニットは、薬液が常に所定濃度井戸水中に注入されるよう、井戸水の流量に基づき除菌器を作動させている。
【先行技術文献】
【特許文献】
【０００５】
【特許文献１】特開平１１−２９９８６８号公報
【発明の概要】
【発明が解決しようとする課題】
【０００６】
しかしながら、貯留槽内の薬液が全て注入されてなくなると、薬液による除菌処理がなされていない井戸水が水道水として供給されることとなる。そこで貯留槽内の薬液が全て注入されてしまう以前に、貯留槽に薬液を補充する必要がある。
【０００７】
ところが、注入ポンプ一回の作動での薬液の注入量は少なく、また一日あたりの井戸水の使用量が一定でないことなどから、薬液を補充する日時等を正確に予測できなかった。そのため、貯留槽の液面を定期的に観察し、薬液がなくなったと判断したとき薬液を補充するという方法が採られていたが手間がかかり、また確認したときにはすでに薬液がなくなっているなど、薬液を補充する方法として確実性に乏しかった。
【０００８】
また、貯留槽内にフロートスイッチなどの残量検出器を設け、薬液が渇水したとき、給水ポンプを停止させることが知られているが、フロートスイッチを追加することによりコストが上昇するという問題があった。
【０００９】
本発明は、上記課題を解決し、貯留槽の渇水を正確、かつ簡易に検出し、補充を確実にし、薬液による処理がなされていない井戸水が飲料水として供給されることのない給水ユニットを提供することを目的とする。
【課題を解決するための手段】
【００１０】
本発明は、上記課題を解決するため、注入ポンプから井戸水に薬液を注入して給水する給水ユニットを次のように構成した。
【００１１】
井戸水等の原水を送水する送水管と、前記送水管内に前記原水を送水する給水ポンプと、前記送水管に薬液を注入する注入ポンプと、前記送水管内の流量を検出する流量検出手段と、前記流量検出手段の検出結果に基づき前記注入ポンプを作動させる制御装置と、表示装置と、を備えた給水ユニットにおいて、前記注入ポンプは、該注入ポンプに連結し、前記薬液を貯留する貯留槽を有し、前記制御装置から１の動作指令を受けるごとに１回の注入動作を行ない、前記制御装置は、前記貯留槽の薬液貯留量を記憶する記憶部を備え、かつ該制御装置が発した前記動作指令の数を積算して総動作指令数を求め、更に、前記総動作指令数に前記注入ポンプの１回の注入動作あたりの注入量を乗算して前記薬液の総注入量を求め、該総注入量を前記表示装置に表示させ、前記記憶部に記憶されている第１薬液貯留量と前記総注入量が一致したと判断すると、前記貯留槽内の薬液の残量がゼロになったことを意味する第１表示内容を前記表示装置に表示させ、かつ前記送水管に井戸水等を送水させる給水ポンプに停止信号を送出させることとした。
【発明の効果】
【００１２】
本発明にかかる給水ユニットは、次の効果を有する。  
給水ユニットは、注入ポンプの作動回数から薬液の総注入量を求めるので、薬液の総注入量が正確に算出でき、それに基づいて貯留槽での薬液の状態を的確に表示できる。表示を確認して薬液を補充することにより、薬液の井戸水等への未注入を確実に防止できる。薬液の総注入量の算出は、制御装置が、注入ポンプへの作動指令回数に基づいて積算するので、部品を別途増加させることがなく、低いコストで実現できる。
【図面の簡単な説明】
【００１３】
【図１】本発明の一実施形態にかかる給水ユニットを示す構成図である。
【図２】同給水ユニットに備えられた注入ポンプを示す断面図である。
【発明を実施するための形態】
【００１４】
図１に、本発明の一実施形態にかかる給水ユニット１０を示す。給水ユニット１０は、給水ポンプ１２と、送水管１４と、除菌器１６と、濾過装置１８と、制御装置２０などから構成されている。
【００１５】
給水ポンプ１２は、制御装置２０からの指示信号に従って作動し、井戸水を吸水し、吸水した井戸水を送水管１４内に送水する。送水管１４には、圧力センサ２２と、流量センサ２４が設けてある。圧力センサ２２と流量センサ２４は、信号線２３および２５を介して制御装置２０に接続し、圧力センサ２２は、送水管１４内の圧力を検出し、また流量センサ２４は、送水管１４内を流れている流量を検出し、それぞれの検出結果を信号線２３、２５を介して制御装置２０に送出する。
【００１６】
流量センサ２４の下流には濾過装置１８が設けられている。濾過装置１８は、セラミック製の濾過材と除マンガン用の濾過材を内部に有している。セラミック製の濾過材は、除菌器１６から注入された次亜塩素酸ナトリウムにより鉄イオンが不水溶性の水酸化第二鉄に酸化され、その水酸化第二鉄を濾過する。除マンガン用の濾過材は、コーティングされたマンガンの自触媒作用により、井戸水中に含まれるマンガンイオンを接触酸化させ、水和二酸化マンガンとして凝着させる。濾過材表面の水和二酸化マンガンは、残留されている次亜塩素酸ナトリウムにより常に活性化されており、次亜塩素酸ナトリウム濃度を適正に保持する必要がある。
【００１７】
除菌器１６は、注入ポンプ３０と、薬液としての薬液を貯留する貯留槽３２と、電源装置３４などから構成されている。注入ポンプ３０の一例を、図２に示す。注入ポンプ３０は、ケース本体３６と、ソレノイド３８と、プランジャ４０と、ダイヤフラム４２などから構成されている。以下基本的に、ソレノイド３８側から見て、ダイヤフラム４２側を前方とし、その逆を後方として説明する。図２は、ダイヤフラム４２が後退している状態である。
【００１８】
ケース本体３６は、円筒状で、金属材料、あるいは樹脂材などから形成されている。ケース本体３６の内部には、ソレノイド３８が固定されている。ケース本体３６の後方には、裏蓋４４が固定されている。ケース本体３６の前方には、ポンプ本体４６が液密に取り付けられている。
【００１９】
ソレノイド３８は円筒状のコイルで、中心にはプランジャ４０が前後方向に沿って移動自在に設けられている。ソレノイド３８の入力端子（図示せず。）には、制御装置２０からの電力線３９が接続している。
【００２０】
プランジャ４０は、ソレノイド３８の中心に設けられた孔４８内に摺動自在に設けられている。プランジャ４０は、所定位置まで前進すると、ソレノイド３８の後面５０に当接し前進動作が停止される。
【００２１】
またソレノイド３８には、戻しばね５２が設けてあり、プランジャ４０を所定のばね力で後方に付勢している。プランジャ４０は、後退すると、調整ねじ５４の前端に当接し、後退動作が停止される。調整ねじ５４は、裏蓋４４に対して回転させることにより、前端を任意の位置に設定できる。
【００２２】
ダイヤフラム４２は、弾性材料からなる板状部材で、ポンプ本体４６に形成された圧送室５６に臨ませて取り付けられている。ダイヤフラム４２は、中心部分が軸５８の先端に組み付けられ、外周部分がケース本体３６の前端縁とポンプ本体４６との間に液密に固定されている。ダイヤフラム４２の形状、材質は特に問わない。
【００２３】
ポンプ本体４６は、圧送室５６がほぼ中央に形成してあり、圧送室５６の下方に流入口６０が、上方に流出口６２が設けられている。流入口６０には流入用一方向ボール弁６４が、また流出口６２には流出用一方向ボール弁６６がそれぞれ設けられている。
【００２４】
流入口６０には、貯留槽３２（図１参照。）からの吸引管７０が連結している。また流出口６２には、注入管７２が連結している。注入管７２の他端は、送水管１４（図１参照。）の注入部７４に延びている。注入部７４は、注入管７２から送られてきた薬液を送水管１４内に流出させ、送水管１４内を流れる井戸水に注入する。注入部７４の下流側は、濾過装置１８を介して、家庭用の蛇口などに接続されている。
【００２５】
次に、制御装置２０について説明する。
【００２６】
制御装置２０には、図１に示すように記憶部７６と、入力装置７８と、表示装置８０と、電源装置３４などが接続されている。制御装置２０は、制御部２１を備えている。制御部２１は、積算部と、算出部と、比較部とを有して形成されている。積算部は、制御装置２０から除菌器１６に送出した注入動作の指令回数を積算する。算出部は、積算部が積算した動作指令の数に注入ポンプ３０の１ストロークあたりの注入量を乗算し、除菌器１６から送水管１４に注入された薬液の総注入量を算出する。制御装置２０は、圧力センサ２２が検出した結果から、注入ポンプ３０の１ストロークあたりの薬液の注入量を修正してもよい。
【００２７】
比較部は、算出部が算出した薬液の総注入量と閾値とを比較し、その結果を制御装置２０に送出する。具体的には比較部は、積算部が薬液の総注入量を求めたら、総注入量と記憶部７６に予め記憶されている第２薬液貯留量とを比較し、総注入量が第２薬液貯留量と等しい値と判断されたら、貯留槽３２内の薬液が渇水直前まで減少したことを制御装置２０に送る。制御装置２０は、薬液が減少した旨を示す第２表示内容を表示する旨の指示を表示装置８０に送る。表示装置８０は、上記指示の内容を表示する。表示は、文字を用いたものであっても、あるいは色などが異なるランプ、その他であっても表示内容が認識できればよい。
【００２８】
また比較部は、総注入量と、予め入力されている第１薬液貯留量と比較し、算出された総注入量が第１薬液貯留量と等しい値となったら、薬液の残量がゼロである、つまり貯留槽３２が渇水状態になったことを制御装置２０に送る。制御装置２０は、渇水状態を示す第１表示内容を表示する指示を表示装置８０に送る。
【００２９】
次に、給水ユニット１０の作用について説明する。  
制御装置２０は、流量センサ２４からの検出結果に基づき給水ポンプ１２に指示を送り、所定量の流量となるように給水ポンプ１２を作動させる。また制御装置２０は、流量センサ２４が検出した流量に基づき、除菌器１６に指示を送り、薬液を送水管１４内に注入させる。これにより、送水管１４内の井戸水を所定の薬液（除菌剤）濃度にする。
【００３０】
制御部２１の積算部は、制御装置２０が注入ポンプ３０に１回ストローク（作動）させる指示を送出するごとに、送出した動作指令の回数、つまり注入ポンプ３０のストローク数を積算する。算出部は、積算部が積算した動作指令の積算値に注入ポンプ３０の１ストロークあたりの注入量を乗算し、除菌器１６が送水管１４に注入した薬液の総注入量を求める。
【００３１】
薬液の総注入量が求められたら、比較部は総注入量を第２薬液貯留量と比較する。第２薬液貯留量は、第１薬液貯留量より少ない値に設定された貯留量であり、第１薬液貯留量を例えば２０リットル（Ｌ）とした場合、第２薬液貯留量＝第１薬液貯留量−２リットル程度である。
【００３２】
比較部が総注入量と第２薬液貯留量とを比較し、第２薬液貯留量の方が総注入量より大きいと判断すれば、動作指令に従って薬液の注入を継続させる。一方、総注入量が第２薬液貯留量と等しい、あるいはそれより大きいと判断されれば、比較部は貯留槽３２内の薬液の貯留量が所定量まで減少したと判断し、その判断結果に基づき制御装置２０は表示装置８０に指示を送る。その結果表示装置８０は、貯留槽３２の薬液が減少した旨の第２表示内容を表示する。
【００３３】
作業者は、表示装置８０の減水表示に気づくと、貯留槽３２に薬液を注入して補充を行う。更に作業者は、薬液を補充したなら補充済みボタン３１を操作し、薬液を貯留槽３２に補充した旨を制御装置２０に通知する。薬液が補充されたことを確認すると、制御装置２０は、積算部における総注入量の積算値を０に戻す。
【００３４】
一方この時点で作業者により薬液の補充がなされず、総注入量が第１薬液貯留量を超えたときは、制御装置２０は貯留槽３２内の薬液がほとんどなくなったと判断する。その結果表示装置８０は、渇水などを意味する第１表示内容を表示する。また制御装置２０は、貯留槽３２の薬液の渇水が確認されたら、給水ポンプ１２の作動を停止させる。
【００３５】
これにより、給水ユニット１０は、薬液が所定量まで減少したこと、更に貯留槽３２から薬液がなくなったことを表示装置８０に正確に表示できる。また、薬液がなくなったときは、給水ポンプ１２が停止され、直ちに認識することができる。そして貯留槽３２に薬液が補充されたことを確認したなら、制御装置２０は給水ポンプ１２を再始動させる。
【００３６】
尚積算部は、注入ポンプ３０の１ストロークあたりの注入量を、注入ポンプ３０が作動するごとに随時加算し、薬液の総注入量を求めてもよい。また制御装置２０は、圧力センサ２２が検出した送水管１４内の圧力と注入ポンプ３０の吐出能力などから、薬液注入量の修正値を求め、求められた修正値により、注入ポンプ３０の注入量を修正してもよい。
【００３７】
次に、給水ユニットの他の例について説明する。
【００３８】
この例では、給水ユニット１０は補充時設定入力部としての補充済みボタン３１を備え、作業者が貯留槽３２に薬液を補充したことを補充済みボタン３１から入力すると、制御装置２０は、積算部における総注入量の値を０に戻すとともに、入力した時点において算出されている薬液の総注入量を、渇水時総注入量として記憶部７６に記憶させる。給水ユニット１０による給水運転は、薬液を補充した後もそのまま継続され、総注入量も改めて積算される。
【００３９】
そして薬液の注入に伴い新たに総注入量が積算され、積算された総注入量が記憶部７６に前回記憶された渇水時総注入量に等しくなると、貯留槽３２内の薬液の残量がゼロになり、渇水状態に至ったと判断し、その旨の第１表示内容を表示装置８０に表示させる。これにより、前回作業者が渇水したと判断を行った総注入量で、貯留槽３２が渇水している旨の表示が表示装置８０になされる。
【００４０】
したがって、給水ユニット１０の制御装置２０に予め入力されている値でなく、作業者が適当と考える状態で表示装置８０に渇水表示がなされ、適切な補充の時期を作業者に告知し、未処理の井戸水を需要者に供給することを防止できる。
【００４１】
更に他の例として、第３薬液貯留量を記憶部７６に記憶させる。渇水時総注入量が前述したように補充済みボタン３１から記憶部７６に記憶されると、制御装置２０は、記憶されている渇水時総注入量から第３薬液貯留量を減算し減水時総注入量を求める。例えば第３薬液貯留量を２リットルとしたとき、減水時総注入量は、減水時総注入量＝渇水時総注入量−２リットルとなる。
【００４２】
給水ユニット１０が運転され、除菌器１６の作動に伴い薬液の総注入量が減水時総注入量に等しくなると、表示装置８０に貯留槽３２内の薬液が所定量まで減少したと判断され、例えば第２表示内容である減水状態を表示させる。
【００４３】
これによると、貯留槽３２内の薬液の残量が０になるより第３薬液貯留量分残っている状態で、薬液が減少した旨の表示がなされるので、作業者に余裕をもって補充の告知ができ、より確実に薬液を補充し、未処理の井戸水が供給されることを防止できる。
【産業上の利用可能性】
【００４４】
貯留槽に貯留した薬液を、除菌器により所定量ずつ井戸水などに注入する給水ユニット
などに利用できる。
以下に、本願出願の当初の特許請求の範囲に記載された発明を付記する。
［１］  送水管内の流量を検出する流量検出手段と、前記送水管に薬液を注入する注入ポンプと、前記注入ポンプに連結し、前記薬液を貯留する貯留槽と、前記流量検出手段の検出結果に基づき前記注入ポンプを作動させる制御手段からなる薬液注入装置において、
前記制御手段は、前記注入ポンプの作動回数を積算し、作動回数の積算値と前記注入ポンプの１回の注入動作の注入量から総注入量を求め、求められた総注入量を表示装置に表示させることを特徴とした薬液注入装置。
［２］  前記薬液は、前記送水管内の流水を除菌、酸化する除菌剤であり、前記注入ポンプは、ソレノイド駆動式ダイヤフラムポンプであることを特徴とした［１］に記載の薬液注入装置。
［３］  井戸水等の原水を送水する送水管と、前記送水管内に前記原水を送水する給水ポンプと、前記送水管に薬液を注入する注入ポンプと、前記送水管内の流量を検出する流量検出手段と、前記流量検出手段の検出結果に基づき前記注入ポンプを作動させる制御手段と、表示装置と、を備えた給水ユニットにおいて、
前記注入ポンプは、該注入ポンプに連結し、前記薬液を貯留する貯留槽を有し、前記制御手段から１の動作指令を受けるごとに１回の注入動作を行ない、
前記制御装置は、前記貯留槽の薬液貯留量を記憶する記憶部を備え、かつ該制御装置が発した前記動作指令の数を積算して総動作指令数を求め、更に、前記総動作指令数に前記注入ポンプの１回の注入動作あたりの注入量を乗算して前記薬液の総注入量を求め、該総注入量を前記表示装置に表示させることを特徴とした給水ユニット。
［４］  前記制御装置は、前記記憶部に記憶されている第１薬液貯留量と前記総注入量が一致したと判断すると、前記貯留槽内の薬液の残量がゼロになったことを意味する第１表示内容を前記表示装置に表示させ、かつ前記送水管に井戸水等を送水させる給水ポンプに停止信号を送出させることを特徴とした［３］に記載の給水ユニット。
［５］  前記制御装置は、前記記憶部に記憶された、前記第１薬液貯留量より貯留量が少ない第２薬液貯留量と前記総注入量が一致したと判断すると、前記貯留槽内の薬液の残量が０に近づいたことを意味する第２表示内容を前記表示装置に表示させることを特徴とした［４］に記載の給水ユニット。
［６］  前記制御装置は、補充時設定入力部を備え、
前記制御装置は、前記補充時設定入力部に、作業者から貯留槽に薬液を補充したことが入力されたとき、前記総注入量をリセットするとともに前記記憶部に、前記入力の時点における前記総注入量を渇水時総注入量として記憶させ、
更に前記総注入量がリセットされた後前記総注入量が前記渇水時総注入量と一致すると、前記貯留槽内の薬液の残量がゼロになったことを意味する第１表示内容を前記表示装置に表示させ、かつ前記給水ポンプに停止信号を送出させることを特徴とした［３］〜［５］のいずれか１項に記載の給水ユニット。
［７］  前記制御装置は、前記記憶部に記憶された第３薬液貯留量を前記渇水時総注入量から減算して減水時総注入量を求め、前記総注入量が前記減水時総注入量と一致したと判断すると、前記貯留槽内の薬液の残量がゼロに近づいたことを意味する第２表示内容を前記表示装置に表示させることを特徴とした［６］に記載の給水ユニット。
［８］  前記薬液は、前記送水管内の原水を除菌、酸化する除菌剤であり、前記注入ポンプは、ソレノイド駆動式ダイヤフラムポンプであることを特徴とした［３］〜［７］のいずれか１項に記載の給水ユニット。
【符号の説明】
【００４５】
１０…給水ユニット  １２…給水ポンプ  １４…送水管  １６…除菌器  １８…濾過装置  ２０…制御装置  ２１…制御部  ２２…圧力センサ  ２４…流量センサ  ３０…注入ポンプ  ３２…貯留槽  ４２…ダイヤフラム  ４６…ポンプ本体  ６０…流入口  ６２…流出口  ６４…流入用一方向ボール弁  ６６…流出用一方向ボール弁  ７６…記憶部  ７８…入力装置  ８０…表示装置
【図１】
0005816446.tif 000002
【図２】
0005816446.tif 000003